(57)【特許請求の範囲】
【請求項１】
金属製の角筒からなる横梁材が矩形枠状に配設されたパレット本体の四隅に金属製の角筒からなる支柱を樹立固定し、該支柱の上端縁と下端縁に夫々互いに嵌合し得る凸金具と凹金具を固設し、該凸金具と凹金具とを嵌合させることにより上下に多段に積み上げられる保管パレットにおいて、前記支柱の上端部付近に上下方向に長い長孔を開設し、前記横梁材の両端部付近上面に係合孔を開設する一方、丸棒材の一端に該丸棒材の他端に向けて鉤状に折曲する折曲端を有するフック部を形成すると共に、該丸棒材の他端をクランク形に折り曲げてクランク部を形成することにより連結棒を形成し、該連結棒のクランク部を前記長孔から下段の保管パレットの支柱内に上下動を許容するように遊嵌した後に該連結棒の前記折曲端を上段の保管パレットの横梁材の係合孔に嵌合することにより該フック部が該横梁材に係合されるようにしたことを特徴とする保管パレットの連結構造。
【発明の詳細な説明】
【技術分野】
【０００１】
本発明は、多段に積み上げられた保管パレットが地震時等の振動により倒壊するのを防ぐために、上下の保管パレットどうしを連結する保管パレットの連結構造およびその連結に使用する連結棒の形状に関するものである。
【背景技術】
【０００２】
例えば自動車用のエンジン部品、車体部品のような機械部品等の物品を収納・保管、或いは輸送するに際して使用する保管パレットは、下記特許文献１に示されたように、横梁材を矩形枠状に接合してなるパレット本体の四隅に角筒からなる支柱をそれぞれ樹立した構造であり、該支柱の上端縁と下端縁に夫々互いに嵌合し得る凸金具と凹金具が固設され、該凸金具と凹金具とを嵌合させることにより該保管パレットが横ズレすることなく上下段に積み重ねられるように構成されたものであった。
【特許文献１】特許第２６１８８０９号公報
【発明の開示】
【発明が解決しようとする課題】
【０００３】
ところで、該保管パレットは省スペースのために二段以上にも積み上げられることがあったが、そうすると地震、或いは輸送中の振動などによって倒壊する危険が生じるため、早急な対策が必要となっていた。本発明はこのような問題点を解消するための保管パレットの連結構造を提供しようとするものである。
【課題を解決するための手段】
【０００４】
そのために請求項１に記載した保管パレットの連結構造の発明は、金属製の角筒からなる横梁材が矩形枠状に配設されたパレット本体の四隅に金属製の角筒からなる支柱を樹立固定し、該支柱の上端縁と下端縁に夫々互いに嵌合し得る凸金具と凹金具を固設し、該凸金具と凹金具とを嵌合させることにより上下に多段に積み上げられる保管パレットにおいて、前記支柱の上端部付近に上下方向に長い長孔を開設し、前記横梁材の両端部付近上面に係合孔を開設する一方、丸棒材の一端に該丸棒材の他端に向けて鉤状に折曲する折曲端を有するフック部を形成すると共に、該丸棒材の他端をクランク形に折り曲げてクランク部を形成することにより連結棒を形成し、該連結棒のクランク部を前記長孔から下段の保管パレットの支柱内に上下動を許容するように遊嵌した後に該連結棒の前記折曲端を上段の保管パレットの横梁材の係合孔に嵌合することにより該フック部が該横梁材に係合されるようにしたことを特徴とする。
【発明の効果】
【０００５】
地震時や輸送時等の激しい揺れに際し、保管パレットが多段に積み上げられていても倒壊し難くなり、安全を図ることができる。
【発明を実施するための最良の形態】
【０００６】
次に本発明の実施形態を説明する。図１は本発明に係る保管パレットの斜視図である。図において、パレット本体３は、金属製の角筒からなる横梁材１を矩形枠状に配設し、該枠部内に補強梁材１ａを溶接により固着し、該各横梁材１の下面にはアングル状の座台２を溶接により固着し、該横梁材１上に鋼板１ｂを配置し、該鋼板１ｂ上に保管物品が載置されるようにすると共に、該パレット本体３の四隅に同じく金属製の角筒からなる支柱４を溶接することにより該各支柱４を垂直に樹立固定してなる。そして、該支柱４の上端縁に図２（ａ）に示したように角山形の凸金具５を溶接により固設し、該支柱４の下端縁には図２（ｂ）に示したように角孔形の凹金具６を溶接により固設している。このため、該保管パレットは、下段の保管パレットの凸金具５に上段の保管パレットの凹金具６を嵌合させることにより、図３に示したように横ズレすることなく多段に積み上げられる。
【０００７】
７ａは保管パレットの前面または背面に必要に応じ着脱自在に止着される格子網状の側板、７ｂは保管パレットの両側面に必要に応じ着脱自在に止着される格子網状の側板で、該側板７ａ，７ｂは、夫々図４，図５に示したように、上部両側縁に閂状のラッチ７ｃが横方向にスライド可能に設けられ、下辺には突軸７ｄが形成されていることから、該突軸７ｄを横梁材１の上面に形成された係合孔９ａに嵌合すると共に、ラッチ７ｃを外方にスライドさせて突出させ、支柱４の上部内側面に形成された係合孔９ｃに該ラッチの先端部を嵌合することにより、夫々止着することができる。また、該保管パレットの前面、背面、両側面には、この側板に他、用途に応じて他の形態の側板（例えば、上下に２分割され、その上半部を開閉可能にヒンジした側板）を止着することもできる。
【０００８】
しかして、本発明の保管パレットでは、支柱４の上端部付近に図７，図８にも示したように上下方向に長い長孔８を開設し、前記横梁材１の両端部付近上面に係合孔９ｂを開設する。図６は本発明に係る連結棒を斜め下方から見た斜視図で、該連結棒１０は、金属製の丸棒材の一端に鉤状に折れ曲がったフック部１１を形成すると共に、該丸棒材の他端をクランク形に折り曲げてクランク部１２を形成してなる。このため、該連結棒１０のクランク部１２を前記長孔８から下段の保管パレットの支柱４内に遊嵌した後に該連結棒１０のフック部１１の折曲端１１ａを上段の保管パレットの横梁材１の係合孔９ｂに嵌合することにより、該フック部１１が該横梁材１に係合される。長孔８は上下方向に長く形成されていることにより、クランク部１２を遊嵌した後でも該連結棒１０の上下動を許容するので、該連結棒１０を上動させることによりフック部１１の折曲端１１ａを係合孔９ｂに嵌合することを可能にしている。なお、その嵌合状態は図７および図８の断面図に示した通りである。このように、連結棒１０を図３にも示したように、下段の保管パレットの支柱４と上段の保管パレットの横梁材１とを結ぶように斜めに取り付けることにより、該連結棒１０はスジカイのように機能し、下段の保管パレットと上段の保管パレットとを離脱することなく強固に連結し得る。このため保管パレットを安定して多段に積み上げることができ、地震時や輸送時等の振動により激しく揺れても倒壊し難くなり安全性が高まる。
【０００９】
一方、図９、図１０は上記アングル状の座台２に代え、パレット本体３の四隅下部に末広筒状に形成された座台２ａを設け、該座台２ａに対し下段の保管パレットの支柱４の上端部が嵌合することで上下段に積み上げられる保管パレットの連結部を示し、この場合は該座台２ａの側壁に係合孔９ｃを形成し、連結棒１０の一端のクランク部１２を下段の保管パレットの支柱４に形成された長孔８に遊嵌した後に該連結棒１０の他端のフック部１１の折曲端を上段の保管パレットの座台２ａの係合孔９ｃに嵌合することで、上下段の保管パレットが連結されるようにしている。従って、本発明に係る連結棒１０はフック部１１の折曲端を座台２ａに係合させることもできる。また、図示しないが、上段の保管パレットの支柱４に下部付近に長孔を形成して、該長孔に該連結棒１０のフック部１１を係合させることによっても、下段の保管パレットと上段の保管パレットを連結することができる。このように本発明に係る連結棒１０は、フック部１１とクランク部１２とが形成されているので、この連結棒１０を使用することにより、上下段の保管パレットを簡単、かつ確実、強固に連結することができると共に、その掛け外しも容易になる。
【００１０】
また、図１１は隣り合う保管パレットどうしを連結するために使用されるカスガイ型の連結棒を示す。この連結棒１３は、金属製の丸棒材をコ字形に折曲形成し、その一端をさらに直交状に折曲して鈎部１４を形成してなる。この連結棒１３は、図１に示したように座台２に小孔１５を開設し、図１２に示したように、一方の保管パレットの小孔１５に該鈎部１４を嵌合した後、他方の保管パレットの小孔１５に該連結棒１３の他端を嵌合することにより、両保管パレットの座台２どうしを連結する。これにより地震時や輸送時の揺れを抑えることができると共に、鈎部１４は上下に激しく揺れた場合でも該連結棒１３が小孔１５から飛び出るのを防ぐので、激しい揺れに対しても倒壊を免れることができる。
【図面の簡単な説明】
【００１１】
【図１】本発明の実施形態を示す保管パレットの斜視図。
【図２】本発明に係る保管パレットの支柱の上端縁と下端縁の斜視図。
【図３】本発明に係る保管パレットの積み上げ状態を示した斜視図。
【図４】本発明に係る保管パレットの側板の正面図。
【図５】本発明に係る保管パレットの側板の正面図。
【図６】本発明に係る連結棒の斜視図。
【図７】本発明に係る上下段の保管パレットの連結部の正面図。
【図８】図７のＡ−Ａ線断面図。
【図９】本発明に係る上下段の保管パレットの連結部の正面図。
【図１０】本発明に係る上下段の保管パレットの連結部の側面図。
【図１１】本発明に係るカスガイ型の連結棒の斜視図。
【図１２】図１１に示した連結棒の使用状態を示した隣り合う保管パレットの連結部の横断面図。
【符号の説明】
【００１２】
１      横梁材
２      座台
３      パレット本体
４      支柱
５      凸金具
６      凹金具
８      長孔
９ｂ    係合孔
１０    連結棒
１１    フック部
１２    クランク部
【図１】
0005210644.tif 000002
【図２】
0005210644.tif 000003
【図３】
0005210644.tif 000004
【図４】
0005210644.tif 000005
【図５】
0005210644.tif 000006
【図６】
0005210644.tif 000007
【図７】
0005210644.tif 000008
【図８】
0005210644.tif 000009
【図９】
0005210644.tif 000010
【図１０】
0005210644.tif 000011
【図１１】
0005210644.tif 000012
【図１２】
0005210644.tif 000013